【手続補正書】
【提出日】平成16年5月17日(2004.5.17)
【手続補正１】
【補正対象書類名】明細書
【補正対象項目名】特許請求の範囲
【補正方法】変更
【補正の内容】
【特許請求の範囲】
【請求項１】
被測定者の身長、体重、体脂肪量及び年齢をパラメータとする演算式に基づいて被測定者の内臓脂肪面積を推定することを特徴とする内臓脂肪面積推定方法。
【請求項２】
前記演算式は、身長をＨ、体重をＷｔ、体脂肪量をＦＭ、年齢をＡｇｅ、内臓脂肪面積をＶＦＡ、定数をＣ１、Ｃ２、Ｃ３およびＣ４とした場合において、ＶＦＡ＝Ｃ１×Ｈ２/Ｗｔ＋Ｃ２×ＦＭ＋Ｃ３×Ａｇｅ＋Ｃ４で表される請求項１に記載の内臓脂肪面積推定方法。
【請求項３】
前記演算式は、身長をＨ、体重をＷｔ、体脂肪量をＦＭ、年齢をＡｇｅ、内臓脂肪面積をＶＦＡ、定数をＣ２１、Ｃ２２、Ｃ２３およびＣ２４とした場合において、ＶＦＡ＝Ｃ２１×Ｈ/Ｗｔ＋Ｃ２２×ＦＭ＋Ｃ２３×Ａｇｅ＋Ｃ２４で表される請求項１に記載の内臓脂肪面積推定方法。
【請求項４】
前記演算式は、身長をＨ、体重をＷｔ、体脂肪量をＦＭ、年齢をＡｇｅ、内臓脂肪面積をＶＦＡ、定数をＣ３１、Ｃ３２、Ｃ３３およびＣ３４とした場合において、ＶＦＡ＝Ｃ３１×Ｈ３/Ｗｔ＋Ｃ３２×ＦＭ＋Ｃ３３×Ａｇｅ＋Ｃ３４で表される請求項１に記載の内臓脂肪面積推定方法。
【請求項５】
前記演算式は、身長をＨ、体重をＷｔ、体脂肪量をＦＭ、年齢をＡｇｅ、内臓脂肪面積をＶＦＡ、定数をＣ４１、Ｃ４２、Ｃ４３、Ｃ４４およびＣ４５とした場合において、ＶＦＡ＝Ｃ４１×Ｈ＋Ｃ４２×Ｗｔ＋Ｃ４３×ＦＭ＋Ｃ４４×Ａｇｅ＋Ｃ４５で表される請求項１に記載の内臓脂肪面積推定方法。
【請求項６】
前記演算式において、生活活動強度、月経の有無、閉経時の年齢および閉経後の年数の個人パラメータの少なくとも１つに基づく補正を行う請求項１ないし５のいずれか１つに記載の内臓脂肪面積推定方法。
【請求項７】
被測定者の体脂肪量は、被測定者の生体電気インピーダンスから求めた体脂肪量である請求項１ないし６のいずれか１つに記載の内臓脂肪面積推定方法。
【請求項８】
被測定者の体脂肪量は、被測定者の体幹部の体脂肪量である請求項１ないし７のいずれか１つに記載の内臓脂肪面積推定方法。
【請求項９】
被測定者の体幹部の体脂肪量は、被測定者の全身および右足、左足、右手、左手の各部位について生体電気インピーダンスを測定し、全身の生体電気インピーダンスから全身の体脂肪量を演算し、右足、左足、右手、左手の各部位の生体電気インピーダンスから各部位の体脂肪量およびその合計値を演算し、且つ、全身の体脂肪量から各部位の体脂肪量の合計値を減算することによって求めた体脂肪量である請求項８に記載の内臓脂肪面積推定方法。
【請求項１０】
被測定者の身長を入力する第１の入力手段と、被測定者の体重を入力する第２の入力手段と、被測定者の体脂肪量を入力する第３の入力手段と、被測定者の年齢を入力する第４の入力手段と、前記第１の入力手段、前記第２の入力手段、前記第３の入力手段および前記第４の入力手段からのデータをパラメータとする演算式に基づいて内臓脂肪面積を演算する演算手段と、該演算手段によって演算された内臓脂肪面積を表示するための表示手段とを備えることを特徴とする内臓脂肪面積推定装置。
【請求項１１】
前記演算手段は、被測定者の身長をＨ、体重をＷｔ、体脂肪量をＦＭ、年齢をＡｇｅ、内臓脂肪面積をＶＦＡ、定数をＣ１、Ｃ２、Ｃ３およびＣ４とした場合において、ＶＦＡ＝Ｃ１×Ｈ２/Ｗｔ＋Ｃ２×ＦＭ＋Ｃ３×Ａｇｅ＋Ｃ４で表される演算式に基づいて演算を行う請求項１０に記載の内臓脂肪面積推定装置。
【請求項１２】
前記演算手段は、被測定者の身長をＨ、体重をＷｔ、体脂肪量をＦＭ、年齢をＡｇｅ、内臓脂肪面積をＶＦＡ、定数をＣ２１、Ｃ２２、Ｃ２３およびＣ２４とした場合において、ＶＦＡ＝Ｃ２１×Ｈ/Ｗｔ＋Ｃ２２×ＦＭ＋Ｃ２３×Ａｇｅ＋Ｃ２４で表される演算式に基づいて演算を行う請求項１０に記載の内臓脂肪面積推定装置。
【請求項１３】
前記演算手段は、被測定者の身長をＨ、体重をＷｔ、体脂肪量をＦＭ、年齢をＡｇｅ、内臓脂肪面積をＶＦＡ、定数をＣ３１、Ｃ３２、Ｃ３３およびＣ３４とした場合において、ＶＦＡ＝Ｃ３１×Ｈ３/Ｗｔ＋Ｃ３２×ＦＭ＋Ｃ３３×Ａｇｅ＋Ｃ３４で表される演算式に基づいて演算を行う請求項１０に記載の内臓脂肪面積推定装置。
【請求項１４】
前記演算手段は、被測定者の身長をＨ、体重をＷｔ、体脂肪量をＦＭ、年齢をＡｇｅ、内臓脂肪面積をＶＦＡ、定数をＣ４１、Ｃ４２、Ｃ４３、Ｃ４４およびＣ４５とした場合において、ＶＦＡ＝Ｃ４１×Ｈ＋Ｃ４２×Ｗｔ＋Ｃ４３×ＦＭ＋Ｃ４４×Ａｇｅ＋Ｃ４５で表される演算式に基づいて演算を行う請求項１０に記載の内臓脂肪面積推定装置。
【請求項１５】
前記演算手段は、内臓脂肪面積の演算において、生活活動強度、月経の有無、閉経時の年令および閉経後の年数の個人パラメータの少なくとも１つに基づく補正を行う請求項１０ないし１４のいずれか１つに記載の内臓脂肪面積推定装置。
【請求項１６】
前記第１の入力手段は、身長計である請求項１０ないし１５のいずれか１つに記載の内臓脂肪面積推定装置。
【請求項１７】
前記第１の入力手段は、前記身長を手入力可能とするキー手段である請求項１０ないし１５のいずれか１つに記載の内臓脂肪面積推定装置。
【請求項１８】
前記第２の入力手段は、重量センサーである請求項１０ないし１７のいずれか１つに記載の内臓脂肪面積推定装置。
【請求項１９】
前記第２の入力手段は、被測定者の体重を手入力可能とするキー手段である請求項１０ないし１７のいずれか１つに記載の内臓脂肪面積推定装置。
【請求項２０】
前記第３の入力手段は、体脂肪計である請求項１０ないし１９のいずれか１つに記載の内臓脂肪面積推定装置。
【請求項２１】
前記第２の入力手段および前記第３の入力手段は、体脂肪計付き体重計である請求項１０ないし１７のいずれか１つに記載の内臓脂肪面積推定装置。
【請求項２２】
前記第３の入力手段は、被測定者の生体電気インピーダンスから被測定者の体脂肪量を求めるものである請求項２０または２１に記載の内臓脂肪面積推定方法。
【請求項２３】
前記第３の入力手段で入力される被測定者の体脂肪量は、被測定者の体幹部の体脂肪量である請求項１０ないし２２のいずれか１つに記載の内臓脂肪面積推定方法。
【請求項２４】
前記第３の入力手段は、被測定者の全身および右足、左足、右手、左手の各部位について生体電気インピーダンスを測定し、全身の生体電気インピーダンスから全身の体脂肪量を演算し、右足、左足、右手、左手の各部位の生体電気インピーダンスから各部位の体脂肪量およびその合計値を演算し、且つ、全身の体脂肪量から各部位の体脂肪量の合計値を減算することによって被測定者の体幹部の体脂肪量を求めるものである請求項２３に記載の内臓脂肪面積推定方法。
【請求項２５】
前記第３の入力手段は、被測定者の体脂肪量を手入力可能とするキー手段である請求項１０ないし１９のいずれか１つに記載の内臓脂肪面積推定装置。
【手続補正２】
【補正対象書類名】明細書
【補正対象項目名】００１１
【補正方法】変更
【補正の内容】
【００１１】
本発明の別の実施の形態によれば、前記演算式において、生活活動強度、月経の有無、閉経時の年齢および閉経後の年数の個人パラメータの少なくとも１つに基づく補正を行う。本発明の別の実施の形態によれば、被測定者の体脂肪量は、被測定者の生体電気インピーダンスから求めた体脂肪量である。本発明の別の実施の形態によれば、被測定者の体脂肪量は、被測定者の体幹部の体脂肪量である。本発明の別の実施の形態によれば、被測定者の体幹部の体脂肪量は、被測定者の全身および右足、左足、右手、左手の各部位について生体電気インピーダンスを測定し、全身の生体電気インピーダンスから全身の体脂肪量を演算し、右足、左足、右手、左手の各部位の生体電気インピーダンスから各部位の体脂肪量およびその合計値を演算し、且つ、全身の体脂肪量から各部位の体脂肪量の合計値を減算することによって求めた体脂肪量である。
【手続補正３】
【補正対象書類名】明細書
【補正対象項目名】００１２
【補正方法】変更
【補正の内容】
【００１２】
本発明の別の観点によれば、被測定者の身長を入力する第１の入力手段と、被測定者の体重を入力する第２の入力手段と、被測定者の体脂肪量を入力する第３の入力手段と、被測定者の年齢を入力する第４の入力手段と、前記第１の入力手段、前記第２の入力手段、前記第３の入力手段および前記第４の入力手段からのデータをパラメータとする演算式に基づいて内臓脂肪面積を演算する演算手段と、該演算手段によって演算された内臓脂肪面積を表示するための表示手段とを備えることを特徴とする内臓脂肪面積推定装置が提供される。
【手続補正４】
【補正対象書類名】明細書
【補正対象項目名】００１３
【補正方法】変更
【補正の内容】
【００１３】
本発明の一つの実施の形態によれば、前記演算手段は、被測定者の身長をＨ、体重をＷｔ、体脂肪量をＦＭ、年齢をＡｇｅ、内臓脂肪面積をＶＦＡ、定数をＣ１、Ｃ２、Ｃ３およびＣ４とした場合において、ＶＦＡ＝Ｃ１×Ｈ２/Ｗｔ＋Ｃ２×ＦＭ＋Ｃ３×Ａｇｅ＋Ｃ４で表される演算式に基づいて演算を行う。
【手続補正５】
【補正対象書類名】明細書
【補正対象項目名】００１４
【補正方法】変更
【補正の内容】
【００１４】
本発明の別の実施の形態によれば、前記演算手段は、被測定者の身長をＨ、体重をＷｔ、体脂肪量をＦＭ、年齢をＡｇｅ、内臓脂肪面積をＶＦＡ、定数をＣ２１、Ｃ２２、Ｃ２３およびＣ２４とした場合において、ＶＦＡ＝Ｃ２１×Ｈ/Ｗｔ＋Ｃ２２×ＦＭ＋Ｃ２３×Ａｇｅ＋Ｃ２４で表される演算式に基づいて演算を行う。
【手続補正６】
【補正対象書類名】明細書
【補正対象項目名】００１５
【補正方法】変更
【補正の内容】
【００１５】
本発明の更に別の実施の形態によれば、前記演算手段は、被測定者の身長をＨ、体重をＷｔ、体脂肪量をＦＭ、年齢をＡｇｅ、内臓脂肪面積をＶＦＡ、定数をＣ３１、Ｃ３２、Ｃ３３およびＣ３４とした場合において、ＶＦＡ＝Ｃ３１×Ｈ３/Ｗｔ＋Ｃ３２×ＦＭ＋Ｃ３３×Ａｇｅ＋Ｃ３４で表される演算式に基づいて演算を行う。
【手続補正７】
【補正対象書類名】明細書
【補正対象項目名】００１６
【補正方法】変更
【補正の内容】
【００１６】
本発明の更に別の実施の形態によれば、前記演算手段は、被測定者の身長をＨ、体重をＷｔ、体脂肪量をＦＭ、年齢をＡｇｅ、内臓脂肪面積をＶＦＡ、定数をＣ４１、Ｃ４２、Ｃ４３、Ｃ４４およびＣ４５とした場合において、ＶＦＡ＝Ｃ４１×Ｈ＋Ｃ４２×Ｗｔ＋Ｃ４３×ＦＭ＋Ｃ４４×Ａｇｅ＋Ｃ４５で表される演算式に基づいて演算を行う。
【手続補正８】
【補正対象書類名】明細書
【補正対象項目名】００１７
【補正方法】変更
【補正の内容】
【００１７】
本発明の更に別の実施の形態によれば、前記演算手段は、内臓脂肪面積の演算において、生活活動強度、月経の有無、閉経時の年令および閉経後の年数の個人パラメータの少なくとも１つに基づく補正を行う。
【手続補正９】
【補正対象書類名】明細書
【補正対象項目名】００１８
【補正方法】変更
【補正の内容】
【００１８】
本発明の更に別の実施の形態によれば、前記第１の入力手段は、身長計である。本発明の更に別の実施の形態によれば、前記第１の入力手段は、前記身長を手入力可能とするキー手段である。
【手続補正１０】
【補正対象書類名】明細書
【補正対象項目名】００１９
【補正方法】変更
【補正の内容】
【００１９】
本発明の更に別の実施の形態によれば、前記第２の入力手段は、重量センサーである。本発明の更に別の実施の形態によれば、前記第２の入力手段は、被測定者の体重を手入力可能とするキー手段である。
【手続補正１１】
【補正対象書類名】明細書
【補正対象項目名】００２０
【補正方法】変更
【補正の内容】
【００２０】
本発明の更に別の実施の形態によれば、前記第３の入力手段は、体脂肪計である。本発明の更に別の実施の形態によれば、前記第２の入力手段および前記第３の入力手段は、体脂肪計付き体重計である。
【手続補正１２】
【補正対象書類名】明細書
【補正対象項目名】００２１
【補正方法】変更
【補正の内容】
【００２１】
本発明の更に別の実施の形態によれば、前記第３の入力手段は、被測定者の生体電気インピーダンスから被測定者の体脂肪量を求めるものである。
【手続補正１３】
【補正対象書類名】明細書
【補正対象項目名】００２２
【補正方法】変更
【補正の内容】
【００２２】
本発明の更に別の実施の形態によれば、前記第３の入力手段で入力される被測定者の体脂肪量は、被測定者の体幹部の体脂肪量である。
【手続補正１４】
【補正対象書類名】明細書
【補正対象項目名】００２３
【補正方法】変更
【補正の内容】
【００２３】
本発明の更に別の実施の形態によれば、前記第３の入力手段は、被測定者の全身および右足、左足、右手、左手の各部位について生体電気インピーダンスを測定し、全身の生体電気インピーダンスから全身の体脂肪量を演算し、右足、左足、右手、左手の各部位の生体電気インピーダンスから各部位の体脂肪量およびその合計値を演算し、且つ、全身の体脂肪量から各部位の体脂肪量の合計値を減算することによって被測定者の体幹部の体脂肪量を求めるものである。
【手続補正１５】
【補正対象書類名】明細書
【補正対象項目名】００２４
【補正方法】変更
【補正の内容】
【００２４】
本発明の更に別の実施の形態によれば、前記第３の入力手段は、被測定者の体脂肪量を手入力可能とするキー手段である。